(57)【特許請求の範囲】
【請求項１】
収納高さが一端部から他端部へ向かうに従って低くなる筐体と、
前記筐体の上壁に沿って前記筐体に収納され、前記筐体の下壁と対向する下面に電子部品が搭載され、且つ、板厚方向に貫通する開口が形成された基板と、
前記板厚方向を軸方向とする回転羽根と、前記回転羽根の軸方向両側に設けられた吸気口とを含み、前記開口内に配置され、各吸気口における前記筐体の他端部側の縁部と前記上壁との距離が、各吸気口における前記筐体の一端部側の縁部と前記上壁との距離より短い遠心送風機と、
を有する電子機器。
【請求項２】
前記遠心送風機は、前記回転羽根による送風を前記筐体の一端部側に向けて噴出する送風口を有する、
請求項１に記載の電子機器。
【請求項３】
前記筐体は、前記筐体が設置面に設置されたとき、前記他端部を、前記電子機器を使用するユーザの手前側とし、
前記上壁は、前記他端部側が前記一端部側に比べて前記設置面からの高さが低くなるように前記設置面に対して傾斜し、
前記下壁の少なくとも一下壁部は、前記設置面に沿い、前記遠心送風機における下側の吸気口は、前記一下壁部に沿っている、
請求項２に記載の電子機器。
【請求項４】
前記送風口と対向し、前記電子部品と接する放熱部と、
前記開口に臨んで配置され、前記基板と前記下壁との間に前記送風口が位置するように前記遠心送風機が取付けられる取付部と、
前記遠心送風機の上方から前記遠心送風機における前記他端部側の上隅部に向かって延出して、前記送風口から前記放熱部へ向かう送風の流路を形成する流路部材と、
を有する請求項２又は請求項３に記載の電子機器。
【請求項５】
前記流路部材を第１の流路部材とし、
前記筐体の下壁から前記遠心送風機における前記他端部側の下隅部に向かって延出して、前記送風口から前記放熱部へ向かう送風の流路を形成する第２の流路部材を有する、
請求項４に記載の電子機器。
【請求項６】
前記遠心送風機は、前記筐体の前記一端部側から前記他端部側に向かって厚みが薄くされている、
請求項１〜請求項５の何れか１項に記載の電子機器。
【発明の詳細な説明】
【技術分野】
【０００１】
本願の開示する技術は、電子機器に関する。
【背景技術】
【０００２】
例えばノート型パーソナルコンピュータ（以下、「ノートＰＣ」と略記する）等に代表される、情報処理機能を有した電子機器の多くは、処理を実行して熱を発するＣＰＵ等の電子部品を備えている。電子部品は、温度が上昇し過ぎると誤動作を起こすおそれがある。そのため、電子機器には、電子部品を冷却するため、筐体内部に送風機（ファン又はブロア）が設けられている。
【０００３】
送風機には、例えば軸流ファンや遠心ファンがあるが、ノートＰＣを薄型化するため、送風機は軸流ファンよりも遠心ファンが使用される傾向にある。
【０００４】
従来、遠心ファンは、ノートＰＣの筐体上壁に沿って配置された基板の下面側に取り付けられ、ファンの軸方向両側に設けられた吸気口が基板に対して平行とされている。
【先行技術文献】
【特許文献】
【０００５】
【特許文献１】特開２０１０−２５０５１５号公報
【発明の概要】
【発明が解決しようとする課題】
【０００６】
ところで、ノートＰＣには、デスクの上に置いたときユーザに対して筐体前壁側が低くなるように上壁が傾斜しているもの、言い方を換えれば、筐体の収納高さが筐体背壁から筐体前壁へ向かうに従って低くされているものがある。
【０００７】
しかしながら、遠心ファンの吸気口が筐体上壁に沿った基板に対して平行とされていると、遠心ファンの筐体背壁側よりも筐体前壁側において遠心ファンと筐体下壁とが近接する。この結果、遠心ファンの筐体下壁と対向する吸気口の筐体前壁側から流入する空気の通風抵抗が大きくなる傾向がある。この吸気口の筐体前壁側から流入する空気の通風抵抗が大きくなると、電子部品が搭載された基板の下面側で且つ筐体前壁側にこもり易い熱い空気塊を吸気する量が少なくなり、吸気による基板の下面側で且つ筐体前壁側の冷却効率が悪化する虞がある。以下、基板の下面側で且つ筐体前壁側を「下面前壁側」又は「下面他端部側」と称す。
【０００８】
本願の開示技術は、収納高さが一端部から他端部へ向かうに従って低くされる筐体内に収納された基板の下面他端部側から、遠心送風機の吸気口に流入する空気の通風抵抗を低減することのできる電子機器を提供することを目的とする。
【課題を解決するための手段】
【０００９】
上記課題を解決するために、本願の開示する電子機器は、収納高さが一端部から他端部へ向かうに従って低くなる筐体を有する。また、電子機器は、当該筐体の上壁に沿って筐体に収納され、筐体の下壁と対向する下面に電子部品が搭載され、且つ、板厚方向に貫通する開口が形成された基板を有する。さらに、電子機器は、板厚方向を軸方向とする回転羽根と、当該回転羽根の軸方向両側に設けられた吸気口とを含み、開口内に配置される遠心送風機を有する。そして、この遠心送風機では、各吸気口における筐体の他端部側の縁部と上壁との距離が、各吸気口における筐体の一端部側の縁部と上壁との距離より短くされる。
【発明の効果】
【００１０】
本願の開示する電子機器によれば、遠心送風機の吸気口が基板に対して平行とされている場合に比して、下壁と対向する各吸気口における筐体の他端部側の縁部と筐体の下壁との間の空間が広くなる。これにより、収納高さが一端部から他端部へ向かうに従って低くなる筐体内に収納された基板の下面他端部側から、遠心送風機の吸気口に流入する空気の通風抵抗を低減することができる。
【図面の簡単な説明】
【００１１】
【図１】表示ユニットが本体ユニットに対し開いた状態にある実施形態に係るノートＰＣの正面及び右側壁を表す斜視図である。
【図２】表示ユニットが本体ユニットに対し開いた状態にあるノートＰＣの背壁及び右側壁を表す斜視図である。
【図３】表示ユニットが本体ユニットに対し開いた状態にあるノートＰＣの下壁図である。
【図４】表示ユニットが本体ユニットに対し閉じた状態（閉状態）にあるノートＰＣの左側壁図である。
【図５】本体ユニットの分解斜視図である。
【図６】ロアカバー側からアッパーカバー側を見た各種電子部品の配置図である。
【図７】図６に示す冷却ユニットの特に遠心ファン付近を拡大した図であり、（Ａ）は遠心ファンの取り付け前の状態を示し、遠心ファンの取り付け後の状態を示している。
【図８】図３に示すノートＰＣのＡ−Ａ矢視断面図である。
【図９】遠心ファンを各取付台へ取付ける途中の状態を示した本体ユニットの分解斜視図である。
【図１０】図８に示すノートＰＣにおける遠心ファン周囲の拡大概略図である。
【図１１】図７に示す遠心ファンを逆側から見た図である。
【図１２】図１０に示す遠心ファンの変形例を示す図である。
【発明を実施するための形態】
【００１２】
以下に、本願の開示する電子機器の実施形態を図面に基づいて詳細に説明する。なお、図中、同一又は対応する機能を有する部材（構成要素）には同じ符号を付して適宜説明を省略する。
【００１３】
本実施形態に係る電子機器は、所謂ノートＰＣであり、本体ユニットと、表示ユニットとが開閉自在に連結された構造を有している。本体ユニットは、キーボード等が搭載され種々の情報処理を実行するものである。表示ユニットは、画像等の表示を実行するものである。
【００１４】
図１に示すように、ノートＰＣ１０は、上記のように表示ユニット１２と、上面視が矩形状の本体ユニット１４と、を有している。また、ノートＰＣ１０は、当該本体ユニット１４の奥行方向Ｄ１の一端部に、幅方向Ｄ２に沿って配置された回動軸１６を有している。これら表示ユニット１２と本体ユニット１４とは、表示ユニット１２が本体ユニット１４に対し、回動軸１６を中心に矢印Ｄ３方向に回動（開閉）自在となるように連結されている。
【００１５】
表示ユニット１２は、本体ユニット１４で実行された情報処理結果を表示するためのものである。表示ユニット１２の開状態の前面には、本体ユニット１４の指示に応じた画像を表示する表示パネルである表示画面１８が広がっている。表示画面１８の周囲は、表示ユニット１２の筐体２０を形成する前面カバー２０Ａで覆われている。
【００１６】
表示ユニット１２の筐体２０は、前面カバー２０Ａと、表示画面１８の背壁側を覆う背面カバー２０Ｂとを含んでいる。表示画面１８と当該表示画面１８用の制御回路等は、前面カバー２０Ａと背面カバー２０Ｂに挟まれて筐体２０内に収納される。
【００１７】
本体ユニット１４は、ユーザの操作等に応じて情報処理を実行するためのものである。当該情報処理を実行するため、本体ユニット１４の本体筐体２４内には、後述するように、ＣＰＵ等が搭載された回路基板や、情報を記憶しておくハードディスクドライブユニット（ＨＤＤユニット）などの多数の部品を収納している。
【００１８】
本体筐体２４の上壁２４Ａにおける奥行方向Ｄ１の端部には、電源ボタン２６や各種のファンクションボタン２８が設けられている。
【００１９】
また、本体筐体２４の上壁２４Ａの中央には、このノートＰＣ１０に対し各種の情報や指示を入力するため複数のキーが並べられたキーボード３０が配置されている。
【００２０】
キーボード３０の手前側には、トラックパッド３２が設けられている。このトラックパッド３２の手前側には、トラックパッド３２用の左右の操作ボタン３３が設けられている。また、本体筐体２４の右側壁２４Ｂには、ＡＣ電力をＤＣ電力に変換してノートＰＣ１０に供給するＡＣアダプタ（図示せず）のコネクタが差し込まれる電源差込口３４が形成されている。
【００２１】
図２において、本体ユニット１４の本体筐体２４には、本体筐体２４の背壁２４Ｃから下壁２４Ｄにかけて、バッテリ３６を収容するバッテリ収容開口３８が形成されている。
【００２２】
本実施形態のノートＰＣ１０は、後述するように、本体筐体２４の内部の各種電子部品に対して空気を利用した冷却を行う冷却ユニットを使用しており、本体筐体２４の背壁２４Ｃには、スリット状とされた冷却ユニット用の排気口４０が設けられている。
【００２３】
図３において、本体筐体２４の下壁２４Ｄには、スリット状とされた冷却ユニット用の吸気口４２が設けられている。この吸気口４２から冷却用の空気が本体筐体２４の内部に取り入れられる。そして、各種電子部品で発生した熱が冷却ユニットによって冷却用の空気に吸収されることで、各種電子部品が冷却される。熱を吸収することで暖まった空気は、本体筐体２４の背壁２４Ｃにある排気口４０から本体筐体２４の外部に排気される。
【００２４】
また、本体筐体２４の下壁２４Ｄには、排気口４０に沿って延びる開口４４が形成されている。この開口４４には、当該開口４４を覆う蓋体４６が着脱自在に取り付けられている。このように蓋体４６が着脱自在に取り付けられているため、冷却ユニット、特に後述する放熱部のフィンにごみが溜まったとき等に、蓋体４６を開口４４から取り外し、露出した開口４４に綿棒等を挿入して、冷却ユニットを清掃することができる。
【００２５】
さらに、本体筐体２４の下壁２４Ｄには、バッテリ収容開口３８よりも本体筐体２４の手前側において、メモリ基板が差し込まれるコネクタが内部に配置されたメモリ用開口４８が形成されている。このメモリ用開口４８には、当該メモリ用開口４８を塞ぐ蓋体５０が取り付けられている。さらに、メモリ用開口４８に隣には、後述するＨＤＤユニットが収容されるＨＤＤユニット収容開口５２が形成されている。このＨＤＤユニット収容開口５２には、当該ＨＤＤユニット収容開口５２を覆う蓋体５６が着脱自在に取り付けられている。
【００２６】
また、本体筐体２４の下壁２４Ｄの四隅には、当該下壁２４Ｄから下方に向かって延出した４つの脚部５８が設けられている。
【００２７】
図４において、本体ユニット１４の本体筐体２４の左側壁２４Ｅには、ＵＳＢ（Universal Serial Bus）ポート６０等の各種差込口が形成されている。
【００２８】
そして、以上のような本体筐体２４は、４つの脚部５８の頂部５８Ａが設置面６２に当接して当該設置面６２に設置される。この設置面６２は、４つの脚部５８の頂部５８Ａと接する仮想平面と一致している。なお、実際の設置面６２が凸凹面や曲面であるときでも、本実施形態の「設置面」は上記仮想平面と一致するものとする。
【００２９】
また、本実施形態では、本体筐体２４は、背壁２４Ｃから前壁２４Ｆ（図４では左側から右側）に向かって厚みが薄くされている。言い換えれば、本体筐体２４は、収納高さが背壁２４Ｃから前壁２４Ｆへ向かうに従って低くされている。このような薄型化に伴い、本体筐体２４の上壁２４Ａは、背壁側Ｄ４が前壁側Ｄ５に比べて設置面６２からの高さが低くなるように当該設置面６２に対して傾斜している。なお、「本体筐体２４の背壁側Ｄ４」とは、ノートＰＣ１０の使用時に、ユーザに対して奥側となることを意味する。また、「本体筐体２４の前壁側Ｄ５」とは、ノートＰＣ１０の使用時に、ユーザに対して手前側となることを意味する。
【００３０】
また、本体筐体２４の下壁２４Ｄは、設置面６２に対して傾斜した第１下壁部２４Ｇと、設置面６２に沿った第２下壁部２４Ｈとを有している。
【００３１】
図５において、本体筐体２４は、ロアカバー１００とアッパーカバー１０２とを有している。ロアカバー１００は、本体筐体２４の下壁２４Ｄと、当該下壁２４Ｄを取り囲む右側壁２４Ｂ、背壁２４Ｃ、左側壁２４Ｅ、前壁２４Ｆ、とを含んでいる。アッパーカバー１０２は、本体筐体２４の上壁２４Ａを含んでいる。
【００３２】
これらロアカバー１００とアッパーカバー１０２との間、すなわち、本体筐体２４の内部には、ロアカバー１００側から順に、マザーボード１０４とメインフレーム１０６とが本体筐体２４の上壁２４Ａに沿って収納されている。
【００３３】
マザーボード１０４の隣には、ＣＤ／ＤＶＤドライブユニット１１０と、ＨＤＤユニット１１２とが並んで配置されている。
【００３４】
マザーボード１０４には、キーボード３０やトラックパッド３２、トラックパッド３２用の左右の操作ボタン３３に対するユーザ操作によってこれらの各部品において生成された各種入力信号が送られる。
【００３５】
また、マザーボード１０４には、マザーボード１０４における本体筐体２４の背壁側Ｄ４の端部１０５が前壁側Ｄ５に向かって切り込まれた外形をした開口１０４Ｂが設けられている。この開口１０４Ｂは、マザーボード１０４の板厚方向に貫通し、且つ、本体ユニット１４の奥行方向Ｄ１に延在しており、後述する放熱部１２８の一部と遠心ファン１４０とが入る大きさとされている。
そして、この開口１０４Ｂと対向するメインフレーム１０６の箇所には、当該メインフレーム１０６の板厚方向に貫通し、且つ、本体ユニット１４の奥行方向Ｄ１に延在する通気口１０６Ａが形成されている。この通気口１０６Ａは、開口１０４Ｂよりも本体ユニット１４の奥行方向Ｄ１の長さが小さくされ、後述する少なくとも遠心ファン１４０の吸気口１４８Ｂと対向するようになっている。
【００３６】
図６において、下壁２４Ｄと対向するマザーボード１０４の下面１０４Ａには、各種電子部品が搭載される。各種電子部品には、ノートＰＣ１０全体の制御を担っているＣＰＵ１１４や、当該ＣＰＵ１１４等におけるデータ通信等を制御するチップセット１１６、メモリ基板１１８等が含まれる。
【００３７】
マザーボード１０４に搭載されている各種電子部品、特にＣＰＵ１１４は、信号処理を実行すると発熱する部品であり、発熱による誤動作等を回避するために、ノートＰＣ１０の動作中は常時冷却されることが好ましい。そこで、本実施形態では、ＣＰＵ１１４の冷却のため、マザーボード１０４の下面１０４Ａに、以下に説明する冷却ユニット１２０が搭載されている。
【００３８】
冷却ユニット１２０は、伝熱部１２２を有している。この伝熱部１２２は、ＣＰＵ１１４に接して当該ＣＰＵ１１４が発する熱を吸収する銅製の吸熱板１２４と、当該吸熱板１２４が吸収した熱を後述の放熱部１２８へと伝えるヒートパイプ１２６とを含んでいる。以上の冷却ユニット１２０では、伝熱部１２２によって、ＣＰＵ１１４が発した熱が放熱部１２８に集められる。
【００３９】
放熱部１２８は、マザーボード１０４に沿って配置されており、後述する遠心ファン１４０の送風口１５０と対向し、この送風口１５０からの送風が通り抜ける通風筒の中に金属製のフィン１３０が複数枚互いに所定間隔を空けて並べられた構造を有している。上記の伝熱部１２２によって放熱部１２８に伝えられた熱は、当該放熱部１２８のフィン１３０へと伝わることとなる。
【００４０】
また、冷却ユニット１２０は、放熱部１２８のフィン１３０間を空気が流れるように、矢印Ｄ６が示す方向に送風を吹き付ける遠心ファン１４０を有している。
【００４１】
この遠心ファン１４０は、開口１０４Ｂ内において本体筐体２４の前壁側Ｄ５に配置されており、平板状に形成された筐体１４２を有している。
【００４２】
図７及び図８において、筐体１４２の中央部１４４には、筐体１４２の板厚方向に延在し、開口１０４Ｂと交差する回転軸（不図示）が設けられている。回転軸の外周には、回転軸と共に回転して、送風を発生する回転羽根１４６が取り付けられている。そして、この回転羽根１４６は、マザーボード１０４の板厚方向を軸方向としている。なお、図７及び図８は、回転羽根１４６の詳細形状の記載を省略している。
【００４３】
回転羽根１４６の軸方向両側と対向する筐体１４２の端部には、それぞれ円形状の吸気口１４８Ａ、１４８Ｂが設けられている（図７では、吸気口１４８Ｂは不図示）。各吸気口１４８Ａ、１４８Ｂのうち吸気口１４８Ａは、本体筐体２４の下壁２４Ｄ（特に第２下壁部２４Ｈ）と対向し、吸気口１４８Ｂは、本体筐体２４の上壁２４Ａと対向している。
【００４４】
また、図８に示すように、回転羽根１４６の径方向と対向する背壁側Ｄ４の筐体１４２の端部１４３、すなわち、本体筐体２４の背壁側Ｄ４に位置する筐体１４２の端部１４３には、放熱部１２８と対向する送風口１５０が設けられている。この送風口１５０は、回転羽根１４６による送風を本体筐体２４の背壁側Ｄ４に向けて噴出して放熱部１２８に吹き付けることにより、ＣＰＵ１１４を間接的に冷却する。
【００４５】
また、図７に示すように、本体ユニット１４の長手方向に位置し、且つ、回転羽根１４６の径方向と対向する筐体１４２の一隅部１４２Ａには、遠心ファン１４０をメインフレーム１０６に取り付けるための平板状の取付部１４２Ｂが設けられている。
また、取付部１４２Ｂと回転軸とを結ぶ対角線上の筐体１４２の端部にも、遠心ファン１４０をメインフレーム１０６に取り付けるための平板状の取付部１４２Ｃが設けられている。
【００４６】
各取付部１４２Ｂ，１４２Ｃには、板厚方向に貫通するネジ穴１４２Ｄが形成されている。
【００４７】
また、開口１０４Ｂとメインフレーム１０６の通気口１０６Ａとの間には、各取付部１４２Ｂ，１４２Ｃと対向して、図５及び図７に示すように、遠心ファン１４０用の取付台１０６Ｂ，１０６Ｃが配置されている。
【００４８】
具体的に、各取付台１０６Ｂ，１０６Ｃは、本体ユニット１４の幅方向Ｄ２に位置する通気口１０６Ａの両縁部からマザーボード１０４の開口１０４Ｂの内側に向かってそれぞれ延出し、開口１０４Ｂに臨んで配置されている（図５参照）。
このように開口１０４Ｂに臨む各取付台１０６Ｂ，１０６Ｃの箇所には、それぞれ台座面１０６Ｄが設けられており、これら台座面１０６Ｄには、ネジ穴１０６Ｅが設けられている。
【００４９】
また、各台座面１０６Ｄは、図９に示すように、各台座面１０６Ｄにおける前壁側Ｄ５の端部と上壁２４Ａとの距離が、各台座面１０６Ｄにおける背壁側Ｄ４の端部と上壁２４Ａとの距離より短くされ、第２下壁部２４Ｈに沿うように配置されている。
【００５０】
そして、図７に示すように、各取付台１０６Ｂ，１０６Ｃと、遠心ファン１４０の各取付部１４２Ｂ，１４２Ｃとは、互いに重ね合わされ、取付ネジ１４２Ｅが第２下壁部２４Ｈ側から、ネジ穴１４２Ｄを介してネジ穴１０６Ｅにねじ込まれる。
これにより、各取付台１０６Ｂ，１０６Ｃに、マザーボード１０４と第２下壁部２４Ｈとの間で、放熱部１２８と対向する位置に、送風口１５０が位置するように遠心ファン１４０が取付けられる。
【００５１】
次に、遠心ファン１４０が各取付台１０６Ｂ，１０６Ｃに取り付けられたときの状態について説明する。
【００５２】
図１０において、本実施形態では、上述したように、本体筐体２４の上壁２４Ａは、前壁側Ｄ５が背壁側Ｄ４に比べて設置面６２からの高さが低くなるように、当該設置面６２に対して傾斜している。言い換えれば、本体筐体２４の収納高さが背壁側Ｄ４から前壁側Ｄ５へ向かうに従って低くされている。さらに、マザーボード１０４とメインフレーム１０６は、上壁２４Ａに沿っている。
【００５３】
そこで、各取付台１０６Ｂ，１０６Ｃに取り付けられた遠心ファン１４０は、以下の配置となっている。
遠心ファン１４０は、各吸気口１４８Ａ，１４８Ｂにおける本体筐体２４の前壁側Ｄ５の縁部１４８Ｃと上壁２４との距離が、各吸気口１４８Ａ，１４８Ｂにおける背壁側Ｄ４の縁部１４８Ｄと上壁２４Ａとの距離より短くされた配置となっている。さらに、遠心ファン１４０、特に各吸気口１４８Ａ，１４８Ｂは、マザーボード１０４及び通気口１０４Ｂに対して角度θ＝２度分交差して、本体筐体２４の第２下壁部２４Ｈに沿っている。
【００５４】
なお、図１０では交差を把握し易いように、角度θを２度よりも大きくしている。また、「第２下壁部２４Ｈに沿っている」という意味には、第２下壁部２４Ｈと平行となる場合のみならず、第２下壁部２４Ｈに対して±０．５度以内角度を有している場合が含まれるものとする。他の「沿っている」という用語も同様である。
【００５５】
ところで、遠心ファン１４０は、その送風口１５０から噴出した送風が放熱部１２８のフィン１３０間を吹き抜け、ＣＰＵ１１４からフィン１３０へと伝わった熱がこの送風へと放熱されることとなる。放熱によって暖められた送風は、図２や図３に示した排気口４０から排気される。
【００５６】
このとき、送風口１５０から噴出した送風の一部が放熱部１２８のフィン１３０間を流れずに放熱部１２８以外に漏れたりすると、当該放熱部１２８の冷却効率が低下し得る。このフィン１３０の冷却効率の低下は、ひいては上記のＣＰＵ１１４の冷却効率の低下する虞がある。
【００５７】
そこで、本実施形態では、放熱部１２８以外への風漏れを抑制するため、送風口１５０から放熱部１２８へ向かう送風の流路を形成する流路部材が設けられている。
【００５８】
この流路部材の一つとして、遠心ファン１４０の送風口１５０の上方に、図５及び図１０に示す板金２００が設けられている。この板金２００は、通気口１０６Ａにおける背壁側Ｄ４の縁部１０６Ｆから、遠心ファン１４０における背壁側Ｄ４の上隅部１４０Ａに向かって階段状に延出している。そして、この板金２００の先端２０２が、遠心ファン１４０の上隅部１４０Ａ全体と当接している。
【００５９】
また、板金２００の下方には、流路部材の一つとして、図５及び図１０、図１１に示す台座２０４が設けられている。この台座２０４は、送風口１５０の横幅に沿って下壁２４Ｄに配置され、遠心ファン１４０における背壁側Ｄ４の下隅部１４０Ｂに向かって延出している。そして、この台座２０４の台座面２０６が、遠心ファン１４０の下隅部１４０Ｂ全体と当接している。
【００６０】
さらに、この台座２０４の両脇には、流路部材の一つとして、図５及び図１１に示す２つの板状の突起板２０８が設けられている。これらの突起板２０８は、台座面２０６の上面から上方に向かって延出し、且つ、遠心ファン１４０における本体筐体２４の背壁側Ｄ４の側端部と、送風口１５０と対向する放熱部１２８の側端部を両脇から挟み込むように配置されている。
【００６１】
次に、上述のノートＰＣ１０の作用及び効果について説明する。
【００６２】
本実施形態に係るノートＰＣ１０では、図１０に示すように、本体筐体２４の収納高さが背壁２４Ｃから前壁２４Ｆへ向かうに従って低くされ、本体筐体２４に収納されたマザーボード１０４とメインフレーム１０６とは、本体筐体の上壁２４Ａに沿っている。
ここで、比較例として、遠心ファンの吸気口がマザーボード１０４に対して平行とされている場合を想定する。図１０において、二点鎖線１６０が比較例の遠心ファンの外形を示している。
【００６３】
この場合、遠心ファンの背壁側Ｄ４よりも前壁側Ｄ５において遠心ファンと本体筐体２４の第２下壁部２４Ｈとが近接する。これにより、第２下壁部２４Ｈと対向する遠心ファンの吸気口の前壁側Ｄ５から流入する空気の通風抵抗が大きくなる傾向がある。そして、この吸気口の前壁側Ｄ５から流入する空気の通風抵抗が大きくなると、各種電子部品が搭載されたマザーボード１０４の下面前壁側にこもり易い熱い空気塊を吸気する量が少なくなる。したがって、吸気によるマザーボード１０４の下面前壁側の冷却効率が悪化する虞がある。
【００６４】
これに対し、本実施形態の遠心ファン１４０では、各吸気口１４８Ａ，１４８Ｂの前壁側Ｄ５の縁部１４８Ｃと上壁２４Ａとの距離が、各吸気口１４８Ａ，１４８Ｂの背壁側Ｄ４の縁部１４８Ｄと上壁２４Ａとの距離より短い。
【００６５】
以上の結果、吸気口がマザーボード１０４に対して平行とされている比較例の遠心ファンに比して、第２下壁部２４Ｈと対向する吸気口１４８Ａにおける前壁側Ｄ５の縁部１４８Ｃと第２下壁部２４Ｈとの間の空間が広くなる。これにより、収納高さが背壁側Ｄ４から前壁側Ｄ５へ向かうに従って低くされる本体筐体２４内に収納されたマザーボード１０４の下面前壁側から、遠心ファン１４０の吸気口１４８Ａに流入する空気１７０の通風抵抗を低減することができる。
また、比較例の遠心ファンをマザーボード１０４に対して平行のまま上壁２４Ａに近づける場合に比して、吸気口１４８Ｂと上壁２４Ａとの間の空間も確保することができる。
【００６６】
さらに、遠心ファン１４０は、回転羽根１４６による送風を本体筐体２４の背壁側Ｄ４に向けて噴出する送風口１５０を有している。このため、送風口１５０が送風を本体筐体２４の前壁側Ｄ５に向けて噴出する場合に比して、各種電子部品が搭載されたマザーボード１０４の下面前壁側から吸気した熱い空気塊が、再び送風口１５０からマザーボード１０４の下面前壁側に戻ることを抑制できる。
【００６７】
さらにまた、遠心ファン１４０の各吸気口１４８Ａ，１４８Ｂが、本体筐体２４の第２下壁部２４Ｈに沿っているため、当該第２下壁部２４Ｈと対向する遠心ファン１４０の吸気口１４８Ａは、各方向から均等に吸気することができる。
【００６８】
また、ノートＰＣ１０は、当該遠心ファン１４０の上方から遠心ファン１４０における背壁側Ｄ４の上隅部１４０Ａに向かって延出して、送風口１５０から放熱部１２８へ向かう送風の流路を形成する板金２００を有している。このため、遠心ファン１４０の吸気口１４８Ａ，１４８Ｂがマザーボード１０４に対して平行でなくなることに伴い、送風口１５０からの送風が第２下壁部２４Ｈや放熱部１２８に当たって遠心ファン１４０の前壁側Ｄ５に逃げることを抑制できる。
【００６９】
さらに、ノートＰＣ１０は、第２下壁部２４Ｈから遠心ファン１４０における背壁側Ｄ４の下隅部１４０Ｂに向かって延出して、送風口１５０から放熱部１２８へ向かう送風の流路を形成する台座２０４を有している。このため、遠心ファン１４０の吸気口１４８Ａ，１４８Ｂがマザーボード１０４に対して平行でなくなることに伴い、送風口１５０からの送風が放熱部１２８に当たって遠心ファン１４０の前壁側Ｄ５に逃げることを抑制できる。
【００７０】
以上、本願の開示する技術の一実施例について説明したが、本願の開示する技術は、上記に限定されるものではない。
【００７１】
例えば、遠心ファン１４０と対向する第２下壁部２４Ｈは、設置面６２に沿っている場合を説明したが、本体筐体２４の収納高さが背壁側Ｄ４から前壁側Ｄ５へ向かうに従って低くされていれば、第２下壁部２４Ｈは設置面６２に対して傾斜していてもよい。
同様に、本体筐体２４の上壁２４Ａは、設置面６２に対して傾斜している場合を説明したが、設置面６２に対して沿っていてもよい。
【００７２】
また、遠心ファン１４０は、平板状に形成された筐体１４２を有している場合を説明したが、図１２に示すように、筐体１４２は、本体筐体２４の背壁側Ｄ４から前壁側Ｄ５に向かって厚みが薄くされていてもよい。この場合、吸気口１４８Ａにおける前壁側Ｄ５の縁部１４８Ｃと上壁２４Ａとの距離が、上記実施形態に比して、より短くなる。これにより、吸気口１４８Ａと第２下壁部２４Ｈとの間の空間をより広げることができる。
【００７３】
また、遠心送風機の一例として、遠心ファン１４０を例示したが、遠心ブロアであってもよい。
【００７４】
また、本体筐体２４の収納高さが背壁側Ｄ４から前壁側Ｄ５へ向かうに従って低くされている場合を説明したが、低くされている方向は特に限定されず、例えば本体筐体２４の収納高さが前壁側Ｄ５から背壁側Ｄ４へ向かうに従って低くされていてもよい。
【００７５】
また、送風口１５０は、回転羽根１４６による送風を本体筐体２４の背壁側Ｄ４に向けて噴出する場合を説明したが、回転羽根１４６による送風を本体筐体２４の前壁側Ｄ５に向けて噴出してもよい。
【００７６】
また、送風口１５０は、放熱部１２８と対向するように設ける場合を説明したが、放熱部１２８を省いて、ＣＰＵ１１６等の各種電子部品と対向するように設けてもよい。
【００７７】
また、電子機器は、所謂ノートＰＣ１０であったが、これに限定されない。例えば、ディスプレイまたはキーボードが一体になった所謂一体型パソコンや所謂タブレット型パソコンであってよい。更に、パソコン以外の電子機器に適用されていてもよい。
【００７８】
さらに、本願の開示する技術は、その主旨を逸脱しない範囲内において種々変形して実施可能であることは勿論である。
【符号の説明】
【００７９】
１０      ノートＰＣ（電子機器）
２４      本体筐体（筐体）
２４Ａ    上壁
２４Ｃ    背壁（一端部）
２４Ｆ    前壁（他端部）
２４Ｈ    第２下壁部（下壁、一下壁部）
６２      設置面
１０４    マザーボード（基板）
１０４Ａ  下面
１０４Ｂ  開口
１０６Ｂ，１０６Ｃ  取付台（取付部）
１１４    ＣＰＵ（電子部品）
１２８    放熱部
１４０    遠心ファン（遠心送風機）
１４０Ｂ  下隅部
１４０Ａ  上隅部
１４６    回転羽根
１４８Ａ，１４８Ｂ   吸気口
１５０    送風口
２００    板金（流路部材、第１の流路部材）
２０４    台座（第２の流路部材）
【図１】
0005733144.tif 000002
【図２】
0005733144.tif 000003
【図３】
0005733144.tif 000004
【図４】
0005733144.tif 000005
【図５】
0005733144.tif 000006
【図６】
0005733144.tif 000007
【図７】
0005733144.tif 000008
【図８】
0005733144.tif 000009
【図９】
0005733144.tif 000010
【図１０】
0005733144.tif 000011
【図１１】
0005733144.tif 000012
【図１２】
0005733144.tif 000013